Podtech/llm-jp-corpus-v4-ja_patent huggingface dataset:
【手続補正書】
【提出日】平成22年6月30日(2010.6.30)
【手続補正１】
【補正対象書類名】特許請求の範囲
【補正対象項目名】全文
【補正方法】変更
【補正の内容】
【特許請求の範囲】
【請求項１】
可撓性標識装置であって、
可撓性骨格と前記骨格上に配置される可撓性カバーとを備え、底端及び頂端を有する標識本体と、
前記標識本体を支持するための基部とを備え、
前記基部はその中心部の開口と前記基部の上面の前記開口のまわりに延びる溝とを有し、
前記可撓性骨格の底端は前記溝内に少なくとも部分的に配置され、
前記可撓性標識装置は更に、
前記可撓性骨格を前記基部に固定するために前記溝内に配置される硬化材料を含む、
ことを特徴とする、可撓性標識装置。
【請求項２】
前記可撓性骨格はらせん状に形成された一本の可撓性材料を備え、バネを構成し、該材料は前記溝内に少なくとも部分的に配置された前記可撓性骨格の前記底端からなる底コイルを含む、請求項１に記載の可撓性標識装置。
【請求項３】
前記可撓性カバーは複数の小開口を有するメッシュ材料からなり、また、前記メッシュ材料の底部は前記溝の中に下方に延びる、請求項２に記載の可撓性標識装置。
【請求項４】
前記硬化材料のいくつかは前記メッシュ材料を貫通し、前記標識本体を前記基部に固定するのを助ける、請求項３に記載の可撓性標識装置。
【請求項５】
前記溝は、溝の上部がその下部よりも狭く形成され、それによって前記溝を画成する前記基部の部分は上方向に互いに向かって収束する、請求項１に記載の可撓性標識装置。
【請求項６】
前記溝内に配置される前記標識本体の前記底端は前記基部の前記収束部によって前記溝を出ることを少なくとも部分的に抑制される、請求項５に記載の可撓性標識装置。
【請求項７】
前記溝は、一部が上方向に内方に傾斜する前記基部の楔形部によって画成され、前記溝内に配置される前記標識本体の前記底端は、前記基部の前記楔形部に対して配置され、前記基部は前記標識本体の前記底端が前記溝をでるのを抑制する、請求項５に記載の可撓性標識装置。
【請求項８】
前記溝はさらに前記基部の張出し部によって画成される、請求項７に記載の可撓性標識装置。
【請求項９】
前記硬化材料はポリウレタンからなる、請求項１に記載の可撓性標識装置。
【請求項１０】
前記基部はゴムからなる、請求項１に記載の可撓性標識装置。
【請求項１１】
前記硬化材料は前記溝をほぼ満たす、請求項１に記載の可撓性標識装置。
【請求項１２】
溝を成形した基部を設けるステップと、
前記溝に標識本体の底端を配置するステップと、
溶融材料を前記溝に注入するステップと、
前記溶融材料を硬化させ前記溝内に前記標識本体の底端を固定するステップとを有する可撓性標識装置を製造する方法。
【請求項１３】
前記標識本体は、底コイルを有する可撓性骨格と前記可撓性骨格に配置されたカバーとを備え、前記カバーはメッシュ材料からなる、請求項１２に記載の方法。
【請求項１４】
前記底コイルは前記配置ステップ中に前記溝内に配置される、請求項１３に記載の方法。
【請求項１５】
前記メッシュカバーの部分は前記溝の中へさらに延びる、請求項１４に記載の方法。
【請求項１６】
前記注入ステップは前記溶融材料を前記メッシュ材料を通して注入するステップを含み、前記溶融材料が硬化されるとき、その材料は前記メッシュ材料を介して延び、前記標識本体を前記基部に固定するのを助ける機能を果たす、請求項１５に記載の方法。
【請求項１７】
前記溶融材料はポリウレタンからなる、請求項１２に記載の方法。
【請求項１８】
前記基部を設けるステップは前記溝を前記基部に成形するステップを含み、前記基部の一部は前記溝の上開口に向かう溝傾斜部を画成する、請求項１２に記載の方法。
【請求項１９】
前記基部を設けるステップは前記標識本体の底端を前記溝傾斜部の下に配置し、前記溝内に前記標識本体底端を保持するのを助けることを含む、請求項１８に記載の方法。
【手続補正書】
【提出日】平成22年7月7日(2010.7.7)
【手続補正１】
【補正対象書類名】特許請求の範囲
【補正対象項目名】全文
【補正方法】変更
【補正の内容】
【特許請求の範囲】
【請求項１】
同一ポリマー組成物からなる連続マイクロファイバーとより大きなサイズの繊維とが混ざり合う、メルトブローされた二峰性の繊維カウント／繊維サイズの混合物を含有する、多孔質モノコンポーネント不織布ウェブであって、その中には、より大きなサイズの繊維の少なくとも５倍多いマイクロファイバーが存在しており、並びに繊維の質量分率対繊維サイズのヒストグラムが、１０μｍを超える、より大きなサイズの繊維のモードを呈する、不織布ウェブ。
【請求項２】
より大きなサイズの繊維の少なくとも６倍多いマイクロファイバーが存在する、請求項１に記載の不織布ウェブ。
【請求項３】
モノコンポーネント不織布ウェブを形成するためのプロセスであって、
より大きな寸法のオリフィスと少なくとも５倍多いより小さな寸法のオリフィスとを有するダイ空洞を通して繊維形成材料を流しフィラメントを形成するステップと、
空気又は他の流体を使用して前記フィラメントを繊維に細径化するステップと、
同一ポリマー組成物からなる連続マイクロファイバーと、より大きなサイズの繊維とが混ざり合う、メルトブローされた二峰性の質量分率／繊維サイズの混合物を含有する不織布ウェブとして、前記細径化された繊維を収集するステップとを含み、
その中には、より大きなサイズの繊維の少なくとも５倍多いマイクロファイバーが存在しており、
繊維の質量分率対繊維サイズのヒストグラムが、１０μｍを超える、より大きなサイズの繊維のモードを呈する、プロセス。
【請求項４】
より大きな寸法のオリフィスの少なくとも６倍多い、より小さな寸法のオリフィスを有するダイ空洞を通して繊維形成材料を流すステップを含む、請求項３に記載のプロセス。
【手続補正書】
【提出日】平成22年7月20日(2010.7.20)
【手続補正１】
【補正対象書類名】特許請求の範囲
【補正対象項目名】全文
【補正方法】変更
【補正の内容】
【特許請求の範囲】
【請求項１】
被験者の末梢血液内に前駆体または幹細胞あるいはその両方を動員するための方法における、少なくとも一つのVLA-4阻害剤の有効量と組み合わせた場合の少なくとも一つのCXCR4阻害剤の有効量の使用。
【請求項２】
方法が末梢血液から動員された上記細胞のさらなる収穫を含む、請求項1の使用。
【請求項３】
収穫がアフェレーシスにより行われた、請求項2の使用。
【請求項４】
方法が生体外で収穫された上記細胞のさらなる培養を含む、請求項2の使用。
【請求項５】
方法が採取された上記細胞の被提供者である被験者へのさらなる投与を含む、請求項2の使用。
【請求項６】
上記の被提供者である被験者が提供者である被験者と同一である、請求項5の使用。
【請求項７】
CXCR4阻害剤がAMD3100またはその薬学的に許容可能な塩である請求項1〜6のいずれかの使用。
【請求項８】
VLA-4阻害剤がAMD15057またはその薬学的に許容可能な塩である請求項1〜6のいずれかの使用。
【請求項９】
造血悪性腫瘍または骨髄性悪性腫瘍を患う被験者における化学療法または放射線療法の効果を高めるための、少なくとも一つのVLA-4阻害剤の有効量と組み合わせた場合または少なくとも一つのCXCR2作動薬の有効量と組み合わせた場合の、少なくとも一つのCXCR4阻害剤の有効量の使用。
【請求項１０】
腫瘍がリンパ腫または白血病である、請求項9の使用。
【請求項１１】
CXCR4阻害剤がAMD3100またはその薬学的に許容可能な塩である請求項9または10の使用。
【請求項１２】
VLA-4阻害剤がAMD15057またはその薬学的に許容可能な塩である請求項9または10の使用。
【請求項１３】
CXCR2作動薬がGROβタンパク質である請求項9または10の使用。
【請求項１４】
被験者の多発性骨髄腫を治療するための、少なくとも一つのVLA-4阻害剤の有効量と組み合わせた場合の少なくとも一つのCXCR4阻害剤の有効量の使用。
【請求項１５】
CXCR4阻害剤がAMD3100またはその薬学的に許容可能な塩である請求項14の使用。
【請求項１６】
VLA-4阻害剤がAMD15057またはその薬学的に許容可能な塩である請求項14の使用。
【請求項１７】
少なくとも一つのCXCR4阻害剤、少なくとも一つのVLA-4阻害剤及び薬学的に許容可能な賦形剤を活性成分として含有する医薬組成物。
【請求項１８】
CXCR4阻害剤がAMD3100又はその薬学的に許容可能な塩である請求項17の医薬組成物。
【請求項１９】
CXCR4阻害剤がAMD3465又はその薬学的に許容可能な塩である請求項17の医薬組成物。
【請求項２０】
VLA-4阻害剤がAMD15057又はその薬学的に許容可能な塩である請求項17の医薬組成物。
【請求項２１】
CXCR4阻害剤がAMD3465またはその薬学的に許容可能な塩である請求項1〜6のいずれかの使用。
【請求項２２】
CXCR4阻害剤がAMD3465またはその薬学的に許容可能な塩である請求項9または10の使用。
【請求項２３】
被験者のリンパ腫を処置するための、少なくとも一つのVLA-4阻害剤の有効量と組み合わせた場合の少なくとも一つのCXCR4阻害剤の有効量の使用。
【請求項２４】
CXCR4阻害剤がAMD3100またはその薬学的に許容可能な塩である請求項23の使用。
【請求項２５】
CXCR4阻害剤がAMD3465またはその薬学的に許容可能な塩である請求項23の使用。
【請求項２６】
VLA-4阻害剤がAMD15057またはその薬学的に許容可能な塩である請求項23の使用。
【手続補正書】
【提出日】平成22年7月28日(2010.7.28)
【手続補正１】
【補正対象書類名】特許請求の範囲
【補正対象項目名】全文
【補正方法】変更
【補正の内容】
【特許請求の範囲】
【請求項１】
ＤＯＰＥ、ＣＨＥＭＳおよびＰＥＧ−ＰＥの脂質を含んだリポソームと、
リポソーム内部に封入されたＮ−ブチルデオキシノジリマイシン（ＮＢ−ＤＮＪ）と
を含む、医薬組成物。
【請求項２】
前記リポソームがＤＣＰＰリポソームである、請求項１に記載の組成物。
【請求項３】
ウィルス感染症を処置するための、請求項１または２に記載の組成物。
【請求項４】
ＥＲ膜ウィルス出芽感染症を処置するための、請求項１〜３のいずれか１項に記載の組成物。
【請求項５】
ＨＣＶ感染症を処置するための、請求項１〜４のいずれか１項に記載の組成物。
【請求項６】
ヌクレオシド／ヌクレオチド抗ウィルス剤、免疫賦活／免疫調節剤、またはそれらの組合せを更に含む、請求項１〜５のいずれか１項に記載の組成物。
【請求項７】
前記ヌクレオシド／ヌクレオチド抗ウィルス剤がリバビリンであり、前記免疫賦活／免疫調節剤がインターフェロンである、請求項６に記載の組成物。
【請求項８】
原形質膜出芽感染症を処置するための、請求項１〜３のいずれか１項に記載の組成物。
【請求項９】
ＨＩＶ感染症を処置するための、請求項１〜３および８のいずれか１項に記載の組成物。
【請求項１０】
１種または複数の抗ＨＩＶ剤を更に含む、請求項１〜３、８および９のいずれか１項に記載の組成物。
【請求項１１】
前記リポソームがＰＩ脂質を更に含む、請求項１〜１０のいずれか１項に記載の組成物。
【請求項１２】
前記リポソーム中のＰＩ脂質のモル濃度が５〜５０％である、請求項１１に記載の組成物。
【請求項１３】
前記リポソーム中のＰＩ脂質のモル濃度が１０〜３０％である、請求項１２に記載の組成物。
【請求項１４】
ＰＩ脂質と、リポソーム内部に封入された少なくとも１種の治療剤とを含む、医薬組成物。
【請求項１５】
ＰＩ脂質と、リポソームの脂質二重層中に挿入された少なくとも１種のタンパク質とを含む、医薬組成物。
【請求項１６】
ＤＯＰＥおよびＣＨＥＭＳ脂質を更に含む、請求項１４または１５に記載の組成物。
【請求項１７】
前記リポソーム中のＰＩ脂質のモル濃度が５〜５０％である、請求項１４〜１６のいずれか１項に記載の組成物。
【請求項１８】
前記リポソーム中のＰＩ脂質のモル濃度が１０〜３０％である、請求項１７に記載の組成物。
【請求項１９】
リポソーム中に封入された少なくとも１種の抗ウィルス剤を含む、ウィルス感染を処置するための請求項１４〜１８のいずれか１項に記載の組成物。
【請求項２０】
少なくとも１種の前記抗ウィルス剤がαグルコシダーゼ阻害剤を含む、請求項１９に記載の組成物。
【請求項２１】
少なくとも１種の前記抗ウィルス剤がＮＢ−ＤＮＪを含む、請求項１９に記載の組成物。
【請求項２２】
前記ウィルス感染症がＥＲ膜ウィルス出芽感染症である、請求項２０または２１に記載の組成物。
【請求項２３】
前記ウィルス感染症がＨＣＶウィルス感染症である、請求項２２に記載の組成物。
【請求項２４】
ヌクレオシド／ヌクレオチド抗ウィルス剤、免疫賦活／免疫調節剤、またはそれらの組合せを更に含む、請求項２２または２３に記載の組成物。
【請求項２５】
前記ヌクレオシド／ヌクレオチド抗ウィルス剤がリバビリンであり、前記免疫賦活／免疫調節剤がインターフェロンである、請求項２４に記載の組成物。
【請求項２６】
前記ウィルス感染症が原形質膜出芽感染症である、請求項２０または２１に記載の組成物。
【請求項２７】
前記ウィルス感染症がＨＩＶ感染症である、請求項２６に記載の組成物。
【請求項２８】
少なくとも１種の前記タンパク質が少なくとも１種の抗ウィルスタンパク質を含む、請求項１５に記載の組成物。
【請求項２９】
少なくとも１種の前記抗ウィルスタンパク質が、ウィルス受容体、変異型ウィルスエンベロープタンパク質、およびウィルスエンベロープの相互作用を妨害するタンパク質からなる群から選択される、請求項２８に記載の組成物。
【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
コンテンツを安全に配信する方法であって、
第１の鍵を用いて暗号化されたコンテンツを復号化するステップであって、前記第１の鍵は、第２の鍵を用いて暗号化され、ローカルに記憶された前記第２の鍵のコピーと、第１の鍵の受信されたコピーを用いた前記復号化するステップと、
少なくとも１つの受信機との秘密セッションを確立して前記少なくとも１つの受信機との固有のセッション鍵を生成するステップと、
前記固有のセッション鍵を使用して前記少なくとも１つの受信機のために意図されたコンテンツを暗号化するステップと、
前記固有のセッション鍵を使用して暗号化された前記コンテンツを前記少なくとも１つの受信機に通信するステップと、を含み、
前記固有のセッション鍵のローカルに記憶されたコピーを用いて前記少なくとも１つの受信機によって前記通信されたコンテンツを復号化する、前記方法。
【請求項２】
前記固有のセッション鍵を用いて前記コンテンツを暗号化する前に、前記復号化されたコンテンツに識別のためにマーク付けを行うステップをさらに含む、請求項１に記載の方法。
【請求項３】
前記復号化されたコンテンツに識別のためにマーク付けを行うステップと、
前記マーク付けが行われたコンテンツを前記第１の鍵を用いて再暗号化するステップと、をさらに含む、請求項１に記載の方法。
【請求項４】
前記マーク付けが行われて再暗号化されたコンテンツを記憶するステップをさらに含む、請求項３に記載の方法。
【請求項５】
前記マークが電子透かしを含む、請求項３に記載の方法。
【請求項６】
前記第１の鍵がワーク鍵を含む、請求項１に記載の方法。
【請求項７】
前記第２の鍵がスマート・カード鍵を含む、請求項１に記載の方法。
【請求項８】
前記固有のセッション鍵がセッション鍵を含む、請求項２に記載の方法。
【請求項９】
コンテンツを安全に配信する装置であって、
コンテンツの暗号化および復号化を行うセキュア処理モジュールと、
暗号化鍵をローカルに記憶して復号化するスマート・カードと、を含み、
第１の鍵で暗号化されたコンテンツを受信し、第２の鍵で暗号化された前記第１の鍵を受信すると、前記装置の前記スマート・カードが、前記第２の鍵のローカルに記憶されたコピーを用いて前記第１の鍵を復号化し、前記セキュア処理モジュールが、前記受信された暗号化されたコンテンツを前記復号化された第１の鍵を用いて復号化し、
少なくとも１つの受信機との秘密セッションを確立して前記少なくとも１つの受信機との固有のセッション鍵を生成し、
前記固有のセッション鍵を使用して前記少なくとも１つの受信機のために意図されたコンテンツを暗号化し、
前記固有のセッション鍵を使用して暗号化された前記コンテンツを前記少なくとも１つの受信機に通信し、
前記固有のセッション鍵のローカルに記憶されたコピーを用いて前記少なくとも１つの受信機によって前記通信されたコンテンツが復号化される、前記装置。
【請求項１０】
前記復号化されたコンテンツにマーク付けを行うマーク付けモジュールをさらに含む、請求項９に記載の装置。
【請求項１１】
前記セキュア処理モジュールは、前記マーク付けされたコンテンツを前記第１の鍵を用いて再暗号化する、請求項１０に記載の装置。
【請求項１２】
前記装置が、安全なチャンネルを介してコンテンツ・プレーヤから前記固有のセッション鍵を受信し、前記セキュア処理モジュールが、前記復号化されたコンテンツを前記固有のセッション鍵を用いて暗号化し、前記装置が、前記固有のセッション鍵を用いて暗号化された前記コンテンツを前記コンテンツ・プレーヤに通信する、請求項９に記載の装置。
【請求項１３】
前記コンテンツ・プレーヤが、前記固有のセッション鍵で暗号化された前記コンテンツを、前記固有のセッション鍵のローカルに記憶されたコピーを用いて復号化する、請求項１２に記載の装置。
【請求項１４】
前記復号化されたコンテンツを前記固有のセッション鍵を用いて暗号化する前に、前記復号化されたコンテンツにマーク付けを行うマーク付けモジュールをさらに含む、請求項１２に記載の装置。
【請求項１５】
コンテンツを安全に配信するシステムであって、
コンテンツを配信するコンテンツ・ソースと、
前記配信されたコンテンツを第１の鍵を用いて暗号化し、前記第１の鍵を第２の鍵を用いて暗号化する電子対策装置と、
第１の鍵で暗号化された前記コンテンツと第２の鍵で暗号化された前記第１の鍵とを受信する装置であって、コンテンツの暗号化および復号化を行うセキュア処理モジュールと、暗号化鍵をローカルに記憶して復号化するスマート・カードとを含む前記装置と、
前記受信された暗号化されたコンテンツおよび前記第１の鍵を記憶する記憶装置と、を含み、
前記第１の鍵で暗号化されたコンテンツを受信し、前記第２の鍵で暗号化された前記第１の鍵を受信すると、前記装置の前記スマート・カードが、前記第２の鍵のローカルに記憶されたコピーを用いて前記第１の鍵を復号化し、前記セキュア処理が、前記受信された暗号化されたコンテンツを前記復号化された第１の鍵を用いて復号化し、
前記装置は、
少なくとも１つのコンテンツ・プレーヤとの秘密セッションを確立して前記少なくとも１つのコンテンツ・プレーヤとの固有のセッション鍵を生成し、
前記固有のセッション鍵を使用して前記少なくとも１つのコンテンツ・プレーヤのために意図されたコンテンツを暗号化し、
前記固有のセッション鍵を使用して暗号化された前記コンテンツを前記少なくとも１つのコンテンツ・プレーヤに通信し、
前記固有のセッション鍵のローカルに記憶されたコピーを用いて前記少なくとも１つのコンテンツ・プレーヤによって前記通信されたコンテンツが復号化される、前記システム。
【請求項１６】
前記装置が、前記復号化されたコンテンツにマーク付けを行うマーク付けモジュールをさらに含む、請求項１５に記載のシステム。
【請求項１７】
固有のセッション鍵を安全なチャネルを介して前記装置に通信するコンテンツ・プレーヤをさらに含み、
前記装置が、前記復号化されたコンテンツを前記固有のセッション鍵を用いて暗号化し、前記固有のセッション鍵を用いて暗号化された前記コンテンツを前記コンテンツ・プレーヤに通信し、前記コンテンツ・プレーヤが、前記固有のセッション鍵を用いて暗号化された前記コンテンツを、前記固有のセッション鍵のローカルに記憶したコピーを用いて復号化する、請求項１５に記載のシステム。
【請求項１８】
前記装置が、前記復号化したコンテンツを前記固有のセッション鍵を用いて暗号化する前に、前記復号化したコンテンツにマーク付けを行うマーク付けモジュールをさらに含む、請求項１７に記載のシステム。
【請求項１９】
２つ以上の受信機との秘密セッションが確立され、各秘密セッションは、各受信機との通信を確立するための別個の固有のセッション鍵を生成する、請求項１に記載の方法。
【請求項２０】
少なくとも１つのコンテンツ・プレーヤをさらに含み、前記装置は、２つ以上のコンテンツ・プレーヤとの秘密セッションを確立し、各秘密セッションは、各コンテンツ・プレーヤとの通信を確立するための別個の固有のセッション鍵を生成する、請求項１５に記載のシステム。
【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
電力増幅器ラインナップとアンテナとの間の信号インピーダンスを整合するための装置であって、
第１の入力、第１の出力、および少なくとも第１の可変容量素子を有する可変整合回路であって、第１の入力は、電力増幅器から信号を受信するように構成され、第１の可変容量素子が、インピーダンス整合した信号を選択的に発生することができるように構成されている可変整合回路と、
第２の入力、第２の出力、および少なくとも第２の可変容量素子を有する可変高調波フィルタであって、第２の入力は第１の出力と結合して前記インピーダンス整合した信号を受信するように構成され、前記第２の可変容量素子が、前記インピーダンス整合した信号の望ましくない高調波を選択的にフィルタリング除去することができるように構成され、前記第２の出力が、前記アンテナと結合するように構成されている可変高調波フィルタと、
を備える装置。
【請求項２】
前記可変整合回路が、前記第１の可変容量素子を選択的に動作可能にするように構成され、前記可変高調波フィルタが、前記第２の可変容量素子を選択的に動作可能にするように構成され、そのため、前記フィルタリングし、インピーダンス整合した信号が、複数の異なる周波数帯域の周波数のうちの少なくとも１つ、複数の異なる変調タイプ、および複数の異なるＲＦ電力レベルを含む請求項１に記載の装置。
【請求項３】
前記可変整合回路が前記第１の可変容量素子を選択的に動作可能にするように構成され、前記可変高調波フィルタが前記第２の可変容量素子を選択的に動作可能にするように構成され、そのため、前記フィルタリングし、インピーダンス整合した信号が、複数の異なる周波数帯域の周波数のうちの少なくとも１つを含み、第１の周波数帯域が８２４ＭＨｚ〜９１５ＭＨｚの範囲内に含まれ、第２の周波数帯域が１７１０ＭＨｚ〜１９１０ＭＨｚの範囲内に含まれる請求項２に記載の装置。
【請求項４】
異なる特性を有する複数の通信信号を１つの電力増幅器ラインナップからアンテナに送信するための方法であって、
第１の周波数、第１の変調タイプ、および第１の無線周波（ＲＦ）電力レベルの特性を含む第１の信号を外部装置に送信するステップと、
第２の周波数、第２の変調タイプ、および第２の無線周波（ＲＦ）電力レベルの特性を含む第１の信号を前記外部装置に送信するステップであって、前記第１の信号の少なくとも１つの特性が、前記第２の信号の少なくとも１つの特性とは異なるステップと、
を含む方法。
【請求項５】
前記第１の信号の少なくとも２つの特性が、前記第２の信号の少なくとも２つの特性とは異なる請求項４に記載の方法。
【手続補正書】
【提出日】平成22年7月5日(2010.7.5)
【手続補正１】
【補正対象書類名】特許請求の範囲
【補正対象項目名】全文
【補正方法】変更
【補正の内容】
【特許請求の範囲】
【請求項１】
無線通信ネットワーク内で通信するスケジュール可能な無線通信エンティティにおける方法であって、
スケジュール可能な無線通信エンティティにおいて無線リソース割り当てを受信する工程と、
前記受信した無線リソース割り当てに基づくとともに、スペクトル放射レベル調節情報に基づき、近隣リソース内の前記無線通信エンティティのスペクトル放射レベルを変更する工程とを備える方法。
【請求項２】
前記スペクトル放射レベル調節情報は、前記スケジュール可能な無線通信エンティティに関する特定の情報であり、
前記無線通信ネットワークから前記スペクトル放射レベル調節情報を得る工程を備える請求項１に記載の方法。
【請求項３】
無線通信ネットワーク内でスケジュール可能な無線通信エンティティであって、
無線リソース割り当て情報を受信可能な無線受信機と、
電力増幅器と、
前記電力増幅器と通信可能に接続された制御装置であって、前記無線受信機によって受信した無線リソース割り当て情報に基づくとともに、スペクトル放射レベル調節情報に基づき、近隣リソース内の前記電力増幅器のスペクトル放射レベルを変更する制御装置とを備えるエンティティ。
【請求項４】
前記スペクトル放射レベル調節情報は、前記スケジュール可能な無線通信エンティティに関する特定の情報である請求項３に記載のエンティティ。
【請求項５】
前記スペクトル放射レベル調節情報は、基地局サービスエリアに関する特定の情報である請求項３に記載のエンティティ。
【請求項６】
前記近隣リソース内の前記無線通信エンティティのスペクトル放射レベルを変更する工程が、特定の出力電力レベルにおいて前記無線通信エンティティの増幅器の動作点を調節する工程を含む、請求項１に記載の方法。
【請求項７】
前記近隣リソース内の前記無線通信エンティティのスペクトル放射レベルを変更する工程が、前記無線通信エンティティにおいてＥｓ又はＮｅを制御すべく前記無線通信エンティティの特性を調節する工程を含み、Ｅｓはアクティブなサブ・キャリア毎のエネルギーであり、Ｎｅは非アクティブのサブ・キャリアにおいて計測可能な送信機の減損に起因する対応のノイズ電力密度の成分である、請求項１に記載の方法。
【請求項８】
前記無線通信エンティティにおいてＥｓ／Ｎｅ情報を受信する工程と、前記受信したＥｓ／Ｎｅ情報に基づき前記無線通信エンティティにおいてＥｓ／Ｎｅを制御するために前記無線通信エンティティの特性を調節する工程とを更に備える請求項７に記載の方法。
【請求項９】
前記無線通信エンティティの特性を調節する工程が、前記受信したＥｓ／Ｎｅ情報に対する前記無線通信エンティティの評価最大送信電力を調節することによって行われる、請求項８に記載の方法。
【請求項１０】
前記無線通信エンティティの特性を調節する工程が、前記受信したＥｓ／Ｎｅ情報に対する前記無線通信エンティティの送信機の動作点を調節することによって行われる、請求項８に記載の方法。
【請求項１１】
前記無線通信エンティティの特性を調節する工程が、前記無線通信エンティティの増幅器の負荷ラインを調節することによって行われる、請求項８に記載の方法。
【請求項１２】
前記無線通信エンティティの特性を調節する工程が、前記無線通信エンティティの増幅器の供給電圧を調節することによって行われる、請求項８に記載の方法。
【手続補正２】
【補正対象書類名】明細書
【補正対象項目名】発明の名称
【補正方法】変更
【補正の内容】
【発明の名称】スケジュール可能な無線通信端末におけるスペクトル放射レベルの変更方法及び無線通信エンティティ
【手続補正３】
【補正対象書類名】明細書
【補正対象項目名】０００１
【補正方法】変更
【補正の内容】
【０００１】
本開示は、一般に無線通信に関し、より詳しくはスケジュール可能な無線通信端末におけるスペクトル放射レベルの変更方法、及び無線通信エンティティに関する。
【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
文書の少なくとも一部分の画像を捕捉する工程であって、該文書の該一部分は、第１の特徴及び第２の特徴を有する画像を含む、捕捉工程と、
前記捕捉画像から生成されたマスキング画像を用いて、前記第１の特徴に関連付けられた基準画像と前記捕捉画像との間の修正正規相互相関を計算する工程と、
前記基準画像と前記捕捉画像との間における１つ以上の照合の兆候を出力する工程と、を含む方法。
【請求項２】
物品の少なくとも一部分の捕捉画像を受信するための画像捕捉インターフェースであって、該物品の該一部分が、第１の再帰反射の特徴及び第２の再帰反射の特徴を有する機密画像を含む、画像捕捉インターフェースと、
前記捕捉画像から生成されたマスキング画像を用いて、前記第１の再帰反射の特徴に関連付けられた基準画像と前記捕捉画像との間の修正正規相互相関を計算するための高速マスク化正規相互相関（ＦＭＮＣＣ）モジュールと、
前記基準画像と前記捕捉画像との間における１つ以上の照合の兆候を出力するためのディスプレイと、を含む機密文書認証装置。
【請求項３】
物品の少なくとも一部分の画像を捕捉する画像捕捉装置であって、該物品の該一部分が、第１の再帰反射の特徴及び第２の再帰反射の特徴を有する機密画像を含む、画像捕捉装置と、
前記捕捉画像から生成されたマスキング画像を用いて、前記第１の再帰反射の特徴に関連付けられた基準画像と前記捕捉画像との間の修正正規相互相関を計算し、前記基準画像と前記捕捉画像との間における１つ以上の照合の兆候を出力するホストシステムと、を含む機密文書認証システム。
【手続補正書】
【提出日】平成22年7月16日(2010.7.16)
【手続補正１】
【補正対象書類名】特許請求の範囲
【補正対象項目名】全文
【補正方法】変更
【補正の内容】
【特許請求の範囲】
【請求項１】
3-(4-アミノ-1-オキソ-1,3-ジヒドロ-イソインドール-2-イル)-ピペリジン-2,6-ジオンを含む、ヒトのマントル細胞リンパ腫を治療するための医薬組成物。
【請求項２】
前記マントル細胞リンパ腫が、再発性、難治性、又は従来の療法に抵抗性である、請求項１記載の医薬組成物。
【請求項３】
3-(4-アミノ-1-オキソ-1,3-ジヒドロ-イソインドール-2-イル)-ピペリジン-2,6-ジオンが、約1〜約50mg/日の量で投与されるように用いられることを特徴とする、請求項１又は２記載の医薬組成物。
【請求項４】
3-(4-アミノ-1-オキソ-1,3-ジヒドロ-イソインドール-2-イル)-ピペリジン-2,6-ジオンが、約10、15、20又は25mg/日の量で投与されるように用いられることを特徴とする、請求項３記載の医薬組成物。
【請求項５】
3-(4-アミノ-1-オキソ-1,3-ジヒドロ-イソインドール-2-イル)-ピペリジン-2,6-ジオンが、約25mg/日の量で投与されるように用いられることを特徴とする、請求項４記載の医薬組成物。
【請求項６】
3-(4-アミノ-1-オキソ-1,3-ジヒドロ-イソインドール-2-イル)-ピペリジン-2,6-ジオンが、鏡像異性的に純粋である、請求項３記載の医薬組成物。
【請求項７】
3-(4-アミノ-1-オキソ-1,3-ジヒドロ-イソインドール-2-イル)-ピペリジン-2,6-ジオンが、S鏡像異性体である、請求項６記載の医薬組成物。
【請求項８】
3-(4-アミノ-1-オキソ-1,3-ジヒドロ-イソインドール-2-イル)-ピペリジン-2,6-ジオンが、R鏡像異性体である、請求項６記載の医薬組成物。
【請求項９】
経口投与用に製剤されている、請求項３記載の医薬組成物。
【請求項１０】
カプセル又は錠剤の形態である、請求項９記載の医薬組成物。
【請求項１１】
3-(4-アミノ-1-オキソ-1,3-ジヒドロ-イソインドール-2-イル)-ピペリジン-2,6-ジオンが、28日のサイクルにおいて、21日間投与され、続いて7日間休薬されるように用いられることを特徴とする、請求項３記載の医薬組成物。
【請求項１２】
3-(4-アミノ-1-オキソ-1,3-ジヒドロ-イソインドール-2-イル)-ピペリジン-2,6-ジオンが、28日のサイクルにおいて、約25mg/日の量で21日間投与され、続いて7日間休薬されるように用いられることを特徴とする、請求項１１記載の医薬組成物。
【請求項１３】
3-(4-アミノ-1-オキソ-1,3-ジヒドロ-イソインドール-2-イル)-ピペリジン-2,6-ジオンとともに又は別々に、リツキシマブが毎週静脈内注射によって375mg/m2の量で投与されるように用いられることを特徴とする、請求項１２記載の医薬組成物。
【請求項１４】
3-(4-アミノ-1-オキソ-1,3-ジヒドロ-イソインドール-2-イル)-ピペリジン-2,6-ジオンを含む、マントル細胞リンパ腫を治療するための医薬組成物であって、3-(4-アミノ-1-オキソ-1,3-ジヒドロ-イソインドール-2-イル)-ピペリジン-2,6-ジオンとともに又は別々に、第2の活性薬剤が投与されるように用いられることを特徴とする、前記医薬組成物。
【請求項１５】
前記第2の活性薬剤が、抗体、造血成長因子、サイトカイン、抗癌剤、抗生物質、cox-2阻害剤、免疫調節剤、免疫抑制剤、コルチコステロイド又は薬理活性変異体、或いはそれらの誘導体である、請求項１４記載の医薬組成物。
【請求項１６】
前記第2の活性薬剤が、リツキシマブである、請求項１４記載の医薬組成物。
【手続補正書】
【提出日】平成22年7月28日(2010.7.28)
【手続補正１】
【補正対象書類名】特許請求の範囲
【補正対象項目名】全文
【補正方法】変更
【補正の内容】
【特許請求の範囲】
【請求項１】
体温調節機能障害の治療用の単位用量薬剤の製造における、パロキセチンの使用であって、
前記単位用量が、該パロキセチン部分に基づいて7.5mgであることを特徴とする使用。
【請求項２】
前記体温調節機能障害が、女性の更年期に関連するホルモン変化、男性の更年期に関連するホルモン変化、化学的に誘発されたホルモン変化、外科手術的に誘発されたホルモン変化、ホルモン崩壊疾患状態、及びそれらの任意の組み合わせから選択される状態の結果である、請求項１に記載の使用。
【請求項３】
前記体温調節機能障害が、のぼせ、顔面紅潮、寝汗及びそれらの組み合わせからなる群から選択される状態である、請求項１に記載の使用。
【請求項４】
前記パロキセチンがパロキセチンの遊離塩基を含む、請求項１に記載の使用。
【請求項５】
前記パロキセチンが、パロキセチンの医薬的に許容できる塩を含む、請求項１に記載の使用。
【請求項６】
前記パロキセチンの医薬的に許容できる塩が、パロキセチン塩酸塩を含む、請求項５に記載の使用。
【請求項７】
前記パロキセチンの医薬的に許容できる塩が、パロキセチンメシラートを含む、請求項５に記載の使用。
【請求項８】
前記パロキセチンが結晶質形態である、請求項１に記載の使用。
【請求項９】
前記パロキセチンがアモルファス形態である、請求項１に記載の使用。
【請求項１０】
パロキセチンを含む、体温調節機能障害を患っている患者を治療するための医薬組成物であって、
該組成物が、該パロキセチン部分に基づいて7.5mg/日の量該患者に投与されることを特徴とする、医薬組成物。
【請求項１１】
前記体温調節機能障害が、女性の更年期に関連するホルモン変化、男性の更年期に関連するホルモン変化、化学的に誘発されたホルモン変化、外科手術的に誘発されたホルモン変化、ホルモン崩壊疾患状態、及びそれらの任意の組み合わせから選択される状態の結果である、請求項１０記載の医薬組成物。
【請求項１２】
前記体温調節機能障害が、のぼせ、顔面紅潮、寝汗及びそれらの組み合わせからなる群から選択される状態である、請求項１０記載の医薬組成物。
【請求項１３】
前記組成物がパロキセチンの遊離塩基を含む、請求項１０記載の医薬組成物。
【請求項１４】
前記組成物がパロキセチンの医薬的に許容できる塩を含む、請求項１０記載の医薬組成物。
【請求項１５】
前記パロキセチンの医薬的に許容できる塩が、パロキセチン塩酸塩を含む、請求項１４記載の医薬組成物。
【請求項１６】
前記パロキセチンの医薬的に許容できる塩が、パロキセチンメシラートを含む、請求項１４記載の医薬組成物。
【請求項１７】
前記組成物が結晶質形態のパロキセチンを含む、請求項１０記載の医薬組成物。
【請求項１８】
前記組成物がアモルファス形態のパロキセチンを含む、請求項１０に記載の医薬組成物。
【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
式Ｉ：
【化１】
2009545592.tif 000001
［式中、
Ｚ1、Ｚ2、およびＺ3は、各々独立して、Ｃ−ＲまたはＮであり、ここで、Ｒは、Ｈ、(Ｃ1〜Ｃ6)アルキル、ハロ、ＣＮ、または(Ｃ1〜Ｃ6)アルコキシであり、これらは各々、炭素上にて−ＯＨ、ハロまたは(Ｃ1〜Ｃ6)アルキルで置換されていてもよく；
Ｒ1は、炭素上にて１、２または３個のＲ6で置換されていてもよい、アリール、ヘテロアリール、アラルキル、ヘテロアラルキルであり；
ｘおよびｙは、各々独立して、０または１であり；
Ｒ2は、水素、(Ｃ1〜Ｃ6)アルキル、シアノ、−ＣＯ2Ｈ、−Ｃ(＝Ｏ)(Ｃ1〜Ｃ6)アルキル、−Ｃ(＝Ｎ)(Ｃ1〜Ｃ6)アルキル、−ＣＯ2(Ｃ1〜Ｃ6)アルキル、−ＣＯＮＨ2、−Ｃ(＝Ｎ)ＮＨ2、−Ｃ(＝Ｎ)ＮＨ(Ｃ1〜Ｃ6)アルキル、−Ｃ(＝Ｎ)Ｎ((Ｃ1〜Ｃ6)アルキル)2、−ＣＯＮＨ(Ｃ1〜Ｃ6)アルキル、ＣＯＮ((Ｃ1〜Ｃ6)アルキル)2であり、これらは、炭素上にて１、２または３個のＲ6で置換されていてもよく；
Ｒ3は、炭素上にて１、２または３個のＲ6で置換されていてもよい、アリールまたはヘテロアリールであるか；または、ヘテロアリールがＮＨを含有する場合、この窒素は(Ｃ1〜Ｃ6)アルキルで置換されていてもよく；
Ｒ4aは、水素、(Ｃ1〜Ｃ6)アルキル、または(Ｃ3〜Ｃ6)シクロアルキル（炭素上にて１、２または３個のＲ6で置換されていてもよい）であり；
Ｒ4bは、水素、(Ｃ1〜Ｃ6)アルキル、(Ｃ2〜Ｃ6)アルケニル、(Ｃ2〜Ｃ6)アルキニル、アリール、ヘテロアリール、アラルキル、またはヘテロアラルキルであるか（ここで、これらは、炭素上にて１、２または３個のＲ6で置換されていてもよい）；または
Ｒ4aおよびＲ4bは、それらが結合している炭素と一緒になって、アリールまたはヘテロアリール基を形成し；
Ｒ5は、水素、(Ｃ1〜Ｃ6)アルキル、または(Ｃ3〜Ｃ6)シクロアルキルであり；
Ｒ6は、ハロゲン、トリフルオロメチル、トリフルオロメトキシ、シアノ、ニトロ、ヒドロキシ、アミノ、−ＮＨ(Ｃ1〜Ｃ6)アルキル、−Ｎ((Ｃ1〜Ｃ6)アルキル)2、アリール、ヘテロアリール、(Ｃ3〜Ｃ7)シクロアルキル、(Ｃ1〜Ｃ6)アルキル、(Ｃ2〜Ｃ6)アルケニル、(Ｃ2〜Ｃ6)アルキニル、(Ｃ1〜Ｃ6)アルコキシ、(Ｃ2〜Ｃ6)アルケニルオキシ、(Ｃ2〜Ｃ6)アルキニルオキシ、(Ｃ1〜Ｃ6)アルキルチオ、(Ｃ1〜Ｃ6)アルキルスルフィニル、(Ｃ1〜Ｃ6)アルキルスルホニル、アミノ、(Ｃ1〜Ｃ6)アルキルアミノ、ジ−[(Ｃ1〜Ｃ6)アルキル]アミノ、ホルミル、−Ｃ(＝Ｏ)(Ｃ1〜Ｃ6)アルキル、−Ｃ(＝Ｎ)(Ｃ1〜Ｃ6)アルキル、カルボキシ、−ＣＯ2(Ｃ1〜Ｃ6)アルキル、−ＣＯＮＨ2、−Ｃ(＝Ｎ)ＮＨ2、−Ｃ(＝Ｎ)ＮＨ(Ｃ1〜Ｃ6)アルキル、−Ｃ(＝Ｎ)Ｎ((Ｃ1〜Ｃ6)アルキル)2、−ＣＯＮＨ(Ｃ1〜Ｃ6)アルキル、−ＣＯＮ((Ｃ1〜Ｃ6)アルキル)2、−ＯＣ(Ｏ)(Ｃ1〜Ｃ6)アルキル、−ＯＣ(Ｏ)ＮＨ2、−ＯＣ(Ｏ)ＮＨ(Ｃ1〜Ｃ6)アルキル、−ＯＣ(Ｏ)ＮＨ((Ｃ1〜Ｃ6)アルキル)2、−ＮＨＣ(Ｏ)(Ｃ1〜Ｃ6)アルキル、−Ｎ(Ｃ1〜Ｃ6)アルキル−Ｃ(Ｏ)(Ｃ1〜Ｃ6)アルキル、−ＮＨ−Ｃ(Ｏ)ＮＨ2、−Ｎ(Ｃ1〜Ｃ6)アルキル−Ｃ(Ｏ)ＮＨ2、−Ｎ(Ｃ1〜Ｃ6)アルキル−Ｃ(Ｏ)ＮＨ(Ｃ1〜Ｃ6)アルキル、Ｎ(Ｃ1〜Ｃ6)アルキル−Ｃ(Ｏ)ＮＨ((Ｃ1〜Ｃ6)アルキル)2、−ＮＨ−Ｃ(Ｏ)ＮＨ((Ｃ1〜Ｃ6)アルキル)2、−ＮＨ−(Ｃ1〜Ｃ6)アルキルスルファモイル、Ｎ,Ｎ−ジ−[(Ｃ1〜Ｃ6)アルキル]スルファモイル、(Ｃ1〜Ｃ6)アルキルスルホニルアミノ、または−Ｎ−(Ｃ1〜Ｃ6)アルキル−(Ｃ1〜Ｃ6)アルキルスルホニルアミノであり（ここで、これらは、炭素上にてＲ7で置換されていてもよい）；
Ｒ7は、ハロゲン、トリフルオロメチル、トリフルオロメトキシ、(Ｃ1〜Ｃ6)アルキル 、(Ｃ1〜Ｃ6)アルコキシ、シアノ、ニトロ、またはヒドロキシルである］
で示される化合物またはその医薬上許容される塩。
【請求項２】
Ｒ1が、炭素上にて１個または２個のハロゲンまたはアルコキシで置換されていてもよい、アラルキルおよびヘテロアラルキルからなる群から選択される、請求項１記載の化合物。
【請求項３】
Ｒ5が、水素、メチルおよびシクロヘキシルからなる群から選択される、請求項１〜２いずれか１項記載の化合物。
【請求項４】
Ｒ6が、クロロ、フルオロ、トリフルオロメチル、トリフルオロメトキシ、シアノ、ニトロ、ヒドロキシル、アミノおよびメチルからなる群から選択される、請求項１〜３いずれか１項記載の化合物。
【請求項５】
Ｒ7が、クロロ、フルオロ、トリフルオロメチル、トリフルオロメトキシ、シアノ、ニトロおよびヒドロキシルからなる群から選択される、請求項１〜４いずれか１項記載の化合物。
【請求項６】
式Ｉ−１：
【化２】
2009545592.tif 000002
で示される化合物である、請求項１〜５いずれか１項記載の化合物またはその医薬上許容される塩。
【請求項７】
式Ｉ−２：
【化３】
2009545592.tif 000003
で示される化合物である、請求項１〜６いずれか１項記載の化合物またはその医薬上許容される塩。
【請求項８】
式Ｉ−３：
【化４】
2009545592.tif 000004
で示される化合物である、請求項１〜７いずれか１項記載の化合物またはその医薬上許容される塩。
【請求項９】
Ｒ2が水素、(Ｃ1〜Ｃ6)アルキル、−ＣＯ2Ｈ、−ＣＯ2(Ｃ1〜Ｃ6)アルキル、−ＣＯＮＨ2、−ＣＯＮＨ(Ｃ1〜Ｃ6)アルキル、ＣＯＮ((Ｃ1〜Ｃ6)アルキル)2であり；
Ｒ3がアリールまたはヘテロアリールである
請求項８記載の化合物。
【請求項１０】
【化５】
2009545592.tif 000005
からなる群から選択される化合物またはその医薬上許容される塩。
【請求項１１】
請求項１〜１０いずれか１項記載の化合物および医薬上許容される担体を含む医薬組成物。
【請求項１２】
生物学的試料中におけるオーロラキナーゼ活性のインビトロ阻害方法であって、請求項１〜１０記載の化合物または請求項１１記載の組成物を生物学的試料に接触させて、結果としてオーロラキナーゼ活性が阻害されることを含む方法。
【請求項１３】
対象体における増殖性障害を治療するかまたはその重篤度を軽減するための薬剤の製造のための請求項１〜１０いずれか１項記載の化合物または請求項１１記載の組成物の使用。
【請求項１４】
癌の治療を必要とする対象体における癌を治療するための薬剤の製造のための請求項１〜１０いずれか１項記載の化合物または請求項１１記載の組成物の使用。
【手続補正書】
【提出日】平成22年5月25日(2010.5.25)
【手続補正１】
【補正対象書類名】特許請求の範囲
【補正対象項目名】全文
【補正方法】変更
【補正の内容】
【特許請求の範囲】
【請求項１】
基礎となるリウマチ性疾患および／または変形性関節症の兆候および症状に罹患する患者を治療するための遅延放出型剤形に含有されるグルココルチコイドの使用であって、前記治療が１日１回少なくとも約２週間投与される、使用。
【請求項２】
基礎となるリウマチ性疾患および／または変形性関節症による早朝硬直および疼痛に罹患する患者を治療するための遅延放出型剤形に含有されるグルココルチコイドの使用であって、前記治療が１日１回少なくとも約２週間投与される、使用。
【請求項３】
基礎となる炎症によるインターロイキン６レベルの概日変動を有する患者を治療するための遅延放出型剤形に含有されるグルココルチコイドの使用であって、前記治療が１日１回少なくとも約２週間投与され、前記遅延放出型剤形が、前記患者のインターロイキン６レベルが例えば、午前４時から午前８時の間に日内ピークに達した時点または達する前に前記グルココルチコイドが放出されるように投与される、使用。
【請求項４】
前記治療が１日１回少なくとも約４週間、少なくとも約８週間、少なくとも約１２週間又は少なくとも約１２ヶ月投与される、請求項１から３までのいずれか１項に記載の使用。
【請求項５】
前記グルココルチコイドの投与量が、前記治療の開始時点で、１０ｍｇ／日のプレドニゾンまたは同等量の別のグルココルチコイドを超えている、および／または前記グルココルチコイドの投与量が、維持療法のための１０ｍｇ／日のプレドニゾンまたは同等量の別のグルココルチコイド以下である、請求項１から４までのいずれか１項に記載の使用。
【請求項６】
前記リウマチ性疾患が、関節リウマチ、強直性脊椎炎、および／またはリウマチ性多発筋痛である、請求項１から５までのいずれか１項に記載の使用。
【請求項７】
前記患者が、経口即時放出型グルココルチコイド、および／またはＮＳＡＩＤ、ＤＭＡＲＤ、ＴＮＦα阻害剤、ＩＬ−１阻害剤、ＩＬ−６阻害剤、鎮痛剤、もしくはこれらの組み合わせによる治療を事前に受けている又は受けていない、請求項１から６までのいずれか１項に記載の使用。
【請求項８】
前記患者が、経口即時放出型剤形のグルココルチコイドによる前記治療に対して抵抗性を示すか、または即時放出型剤形のグルココルチコイドが、前記遅延放出型剤形で代用される、請求項７に記載の使用。
【請求項９】
さらに有効量のＮＳＡＩＤ、ＤＭＡＲＤ、ＴＮＦα阻害剤、ＩＬ−１阻害剤、ＩＬ−６阻害剤、鎮痛剤、またはこれらの組み合わせを前記患者に投与することも含む、請求項１から８までのいずれか１項に記載の使用。
【請求項１０】
前記治療が、遅延放出型剤形に含有される有効量のグルココルチコイドを前記患者に投与することから本質的に構成され、前記治療が１日１回少なくとも約２週間投与される、請求項１から９までのいずれか１項に記載の使用。
【請求項１１】
前記遅延放出型剤形が、投与後約２時間〜約６時間、好ましくは約３時間〜約５時間の遅延時間および／または前記遅延時間に達した後２時間以内の溶解時間を有する、請求項１から１０までのいずれか１項に記載の使用。
【請求項１２】
前記遅延放出型剤形が、ｐＨとは無関係の薬剤放出挙動を有する、請求項１から１１までのいずれか１項に記載の使用。
【請求項１３】
前記遅延放出型剤形が錠剤またはカプセルである、および／または非可溶性／非膨潤性コーティングと、前記活性剤および崩壊剤ならびに／または膨潤剤を含有する核とを含む、請求項１から１２までのいずれか１項に記載の使用。
【請求項１４】
前記グルココルチコイドが、コルチゾン、ヒドロコルチゾン、プレドニゾン、プレドニゾロン、メチルプレドニゾロン、ブデソニド、デキサメタゾン、フルドロコルチゾン、フルオコルトロン、クロプレドノール、デフラザコート、トリアムシノロン、好ましくはプレドニゾンまたはプレドニゾロン、ならびにこれらの対応する塩およびエステルである、請求項１から１３までのいずれか１項に記載の使用。
【請求項１５】
前記遅延放出型剤形が、即時放出型剤形での前記グルココルチコイドの投与に比べてより低用量のグルココルチコイドで有効である、請求項１から１４までのいずれか１項に記載の使用。
【請求項１６】
前記患者が炎症に罹患する、請求項１から１５までのいずれか１項に記載の使用。
【請求項１７】
前記グルココルチコイドが夜間に、好ましくは約午後９時から約午後１１時の間に投与される、請求項１から１６までのいずれか１項に記載の使用。
【請求項１８】
前記インターロイキン６レベルの増加が、リウマチ性疾患によって引き起こされ、例えば、前記リウマチ性疾患が、関節リウマチ、強直性脊椎炎、リウマチ性多発筋痛、喘息、およびこれらの組み合わせからなる群から選択される、請求項３に記載の使用。
【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
C4-C10脂肪族及び脂環式生成物と混合したC8-C13アルキル芳香族化合物を含む、炭化水素組成物の、触媒水素化脱アルキル化のみのための方法であり、前記炭化水素組成物を、ZSM-5ゼオライトからなり、5〜100の範囲内のSi／Alモル比を有し、400〜650℃の範囲の温度と1〜5MPaの範囲の圧力での金属白金-モリブデンの結合により修飾され、及び1〜10の範囲のH2／供給原料モル比の触媒を用いた、水素の存在下での継続した処理を含む方法。
【請求項２】
水素化脱アルキル化反応が、450〜580℃の範囲の温度にて、2.8〜3.6MPaの範囲の圧力、3.8〜5.2の範囲のH2／供給原料モル比、及び3〜5h-1の炭化水素の流れによって計算される、LHSV（液空間速度）を保証するための試薬の流量により起こる、請求項1記載の方法。
【請求項３】
C8-C13アルキル芳香族化合物供給原料が、改質装置又は熱分解方法を遂行する装置、又は水蒸気クラッキングから発生する、請求項1又は2記載の方法。
【請求項４】
炭化水素供給原料が、プロセス条件下で芳香族化され、その後水素化脱アルキル化されたC4-C10脂肪族及び脂環式生成物と混合したC8-C13アルキル芳香族化合物、及びヘテロ原子を含有する有機化合物を含む水素化脱アルキル化にかけられた、請求項１〜３のいずれかに記載の方法。
【請求項５】
炭化水素供給原料が、エチルベンゼン、キシレン、プロピルベンゼン、エチルトルエン、トリメチルベンゼン、ジエチルベンゼン、エチルキシレン、テトラメチルベンゼン、プロピルトルエン、エチルトリメチルベンゼン、トリエチルベンゼン、ジプロピルトルエン等から選択されるC8-C13アルキル芳香族化合物、及び、プロセス条件下において、芳香族化され、その後水素化脱アルキル化されるC4-C10脂肪族及び脂環式化合物を含む、水素化脱アルキル化にかけられる、請求項4記載の方法。
【請求項６】
触媒が、アルミナ、クレー、シリカ、アルミノ珪酸、チタン及び酸化ジルコニウム、及びその混合物から選択される結合剤と、結合した形のZSM-5ゼオライトからなり、ゼオライト／結合剤の質量比が100／1〜1／10の範囲である、請求項１〜５のいずれかに記載の方法。
【請求項７】
ZSM-5ゼオライトが5〜70の範囲のSi／Alモル比によって特徴づけられる、請求項１〜６のいずれかに記載の方法。
【請求項８】
触媒における金属分散が含浸、イオン交換、蒸着又は表面吸着から選択される技法により実行される、請求項１〜７のいずれかに記載の方法。
【請求項９】
ZSM-5ゼオライトを、そのまま又は結合した形で、前記金属白金及びモリブデンの塩の溶液で含浸し、続いて乾燥し、その後400〜650℃の範囲の温度で焼成し、Ptx-Moy／ZSM-5触媒を得る、請求項１〜８のいずれかに記載の方法。
【請求項１０】
そのまま又は結合された形のZSM-5ゼオライトの含浸が、アルコール、ケトン及びニトリル又はその混合物から選択される有機溶媒で、金属の水溶性又は有機可溶性化合物を含有し、触媒中の総金属含有量が0.1〜10質量％の範囲の濃度である水又は水−有機溶液を用いて遂行される、請求項9記載の方法。
【請求項１１】
白金及びモリブデン金属の総含有量が0.5〜4質量％の範囲である、請求項１〜１０のいずれかに記載の方法。
【手続補正書】
【提出日】平成22年7月12日(2010.7.12)
【手続補正１】
【補正対象書類名】特許請求の範囲
【補正対象項目名】全文
【補正方法】変更
【補正の内容】
【特許請求の範囲】
【請求項１】
下記式(I)を有する化合物:
【化１】
2009545549.tif 000001
(I)
[式中: 
A は -N+ (R R1 R2) または -P+ (R R1 R2) から選択される、ここで R、R1、R2 は同一または異なり、(C1-C2)アルキル、フェニルおよびフェニル-(C1-C2)アルキルからなる群より選択される; A1 は O または NH または 非存在;
n は 0 から 20 までの範囲の整数; 
p は 0 または 1; q は 0 または 1;
X1 は O または S;
X2 は O または S;
m は 1 から 20 までの範囲の整数; 
Y は H、フェニルおよびフェノキシから選択される;
R3 は H、ハロゲン、直鎖状または分枝状の (C1-C4) アルキルおよび (C1-C4) アルコキシから選択される] 、またはその医薬上許容される塩。
【請求項２】
R、R1 および R2 がすべてメチルである請求項 1 の化合物。
【請求項３】
以下からなる群から選択される、請求項 1 または 2 いずれかの化合物:
(R)-4-トリメチルアンモニウム-3-[[4-[(3-ヘキシルオキシ)-フェノキシ]ブチル]カルバモイル]-アミノ-ブチレート; 
(R)-4-トリメチルフォスフォニウム-3-[[4-[(3-ヘキシルオキシ)-フェノキシ]ブチル]カルバモイル]-アミノ-ブチレート;
(R)-4-トリメチルアンモニウム-3-[[4-(ヘプチルオキシ)-フェニル]-カルバモイル]-アミノ-ブチレート; 
(R)-4-トリメチルアンモニウム-3-[[2-(ベンジルオキシ)-ベンジル]カルバモイル]-アミノ-ブチレート;
(R)-4-トリメチルアンモニウム-3-[[(4-ベンジルオキシ-3-メトキシ)-ベンジル]カルバモイル]-アミノ-ブチレート; 
(R)-4-トリメチルアンモニウム-3-[[4-[(2-ヘキシルオキシ)-フェノキシ]ブチル]カルバモイル]-アミノ-ブチレート; 
(R)-4-トリメチルアンモニウム-3-[[4-[(3-ヘキシルオキシ)-フェノキシ]プロピル]カルバモイル]-アミノ-ブチレート; および 
(R)-4-トリメチルアンモニオ-3-[[3-(ヘキシルオキシ)フェノキシ]アセチル]-アミノ-ブチレート。
【請求項４】
請求項 1 から 3 いずれかの化合物を含む医薬組成物。
【請求項５】
双極性の非プロトン性またはプロトン性溶媒中で、4℃から溶媒の還流温度の間に含まれる温度において 1 から 72 時間の間に含まれる時間、アミノカルニチンまたはフォスフォアミノカルニチンを対応するイソシアネートと反応させることを含む、請求項 1 から 3 いずれかの化合物を調製する方法。
【請求項６】
抗高血糖活性を有する、請求項 1 から 3 いずれかの化合物を含む医薬組成物。
【請求項７】
肥満症、高血糖、糖尿病または糖尿病に関連する疾患の治療および/または予防のための、請求項 1 から 3 いずれかの化合物を含む医薬組成物。
【請求項８】
糖尿病に関連する疾患が糖尿病性網膜症、糖尿病性神経障害または心血管障害である、請求項 7 に記載の医薬組成物。
【請求項９】
心障害の治療および/または予防のための、請求項 1 から 3 いずれかの化合物を含む医薬組成物。
【請求項１０】
心障害がうっ血性心不全である、請求項 9 に記載の医薬組成物。
【請求項１１】
有効成分として請求項 1 から 3 いずれかの化合物を含有し、かつ少なくとも一の医薬上許容される賦形剤および/または希釈剤を含有する医薬組成物。
【請求項１２】
請求項 7 から 10 に記載のいずれかの疾患の治療および/または予防のための、請求項 11 記載の医薬組成物。
【請求項１３】
請求項 1 から 3 いずれかの化合物を少なくとも一の医薬上許容される賦形剤および/または希釈剤と混合することを含む、請求項 11 または 12 の組成物の調製方法。